(57)【要約】【課題】底面板の厚さが異なる複数の軒樋に対応できるとともに、底面板の幅が異なる軒樋にも対応することの可能な軒樋用ストッパーを提供する。【解決手段】上片部２と下片部１と両者の端部を結合する結合片３とからなり、上記上片部２と下片部１との隙間は軒樋８の底面板８１の挿入部とされ、下片部１の裏面にはストッパー部４が垂設された軒樋用ストッパーであって、上記下片部１には開口側から階段状に多段の段差が設けられた軒樋用ストッパー。好ましくは、上記軒樋用ストッパーを２個連結して用いるとともに、その連結幅が伸縮自在に調整可能とされる。【選択図】図３
2008025137.tif 000002
【特許請求の範囲】
【請求項１】
上片部と下片部と両者の端部を結合する結合片とからなり、上記上片部と下片部との隙間は軒樋の底面板の挿入部とされ、下片部の裏面にはストッパー部が垂設された軒樋用ストッパーであって、上記下片部には開口側から階段状に多段の段差が設けられた軒樋用ストッパー。
【請求項２】
上記軒樋用ストッパーを２個連結して用いるとともに、その連結幅が伸縮自在に調整可能とされた請求項１に記載の軒樋用ストッパー。
【請求項３】
上記階段状の段差が３段とされた請求項１に記載の軒樋用ストッパー。
【発明の詳細な説明】
【技術分野】
【０００１】
本発明は、軒樋の脱落防止用ストッパーに関する。さらに詳しくは、集水器の軒樋差込口に挿入、接続される軒樋の脱落を防止するとともに、雨水の漏洩を防ぐための軒樋用ストッパーに関する。
【背景技術】
【０００２】
屋根から軒樋に流れ落ちた雨水は、じょうごやチーズ等の集水器に集められ竪樋に排水される。通常、上記集水器は側壁に軒樋の差込口を有し、この差込口に軒樋の端部を挿入、接続して雨水が集水される。しかしながら、単に軒樋の端部を挿入するだけでは、冬季での軒樋の収縮や風等による軒樋の振動により該軒樋が抜けたり、軒樋接続部からの漏水が生じるため、軒樋の端部に軒樋用ストッパーを装着して軒樋の脱落を防止するとともに、雨水の漏洩を防止することが一般的に行われている。
【０００３】
本願図５は、公知の軒樋用ストッパーＣを軒樋８の端部に装着した状態を示す部分斜視図である。本願図５に示すように、上記軒樋用ストッパーＣは、軒樋８の底面板８１を嵌着するための上片部６１と下片部６２とを有し、ストッパー部７が垂設されている。本願図６は、上記軒樋用ストッパーＣを装着した軒樋８を集水器９の側壁に設けられた軒樋差込口９１に挿入して接続した状態を示す部分縦断面図である。図６に示されているように、軒樋８の底面板８１は上片部６１と下片部６２との隙間に嵌着されるとともに、ストッパー部７によって軒樋８の抜け防止が図られている。
【０００４】
また、下記特許文献１には、一種類のもので各種型式の集水器に適用することができ、量産効果によるコスト低減が図れるとともに、軒樋の脱落、および雨水の漏洩を防止することができる軒樋用ストッパーが提案されている。
【特許文献１】特開平８−３０２９３１号公報（第１〜３頁、第１〜４図）
【発明の開示】
【発明が解決しようとする課題】
【０００５】
しかしながら、上記公知技術における軒樋用ストッパーは、軒樋の底面板が所定の厚さのものには対応できるが、厚さの異なる軒樋に対しては、それぞれの底面板に合わせて軒樋用ストッパーを準備しなければならないという問題がある。本発明はこのような問題を解決して、底面板の厚さが異なる複数の軒樋に対応できるとともに、底面板の幅が異なる軒樋にも対応することの可能な軒樋用ストッパーを提供することを、その課題とする。
【課題を解決するための手段】
【０００６】
上記課題を解決するために、本発明においては、つぎのような技術的手段を講じている。すなわち、請求項１に記載の発明によれば、上片部と下片部と両者の端部を結合する結合片とからなり、上記上片部と下片部との隙間は軒樋の底面板の挿入部とされ、下片部の裏面にはストッパー部が垂設された軒樋用ストッパーであって、上記下片部には開口側から階段状に多段の段差が設けられた軒樋用ストッパーが提供される。上記軒樋用ストッパーの材質としては、とくに限定されるものではないが、例えば、硬質塩化ビニル樹脂、ポリエチレン、ポリプロピレン、ＡＢＳ樹脂、ポリカーボネート樹脂等の汎用合成樹脂が用いられる。
【０００７】
請求項２に記載の軒樋用ストッパーは、請求項１に記載の発明に加えて、上記軒樋用ストッパーを２個連結して用いるとともに、その連結幅が伸縮自在に調整可能とされる。
【０００８】
請求項３に記載の軒樋用ストッパーは、請求項１に記載の発明に加えて、上記階段状の段差が３段とされる。
【発明の効果】
【０００９】
請求項１に記載の発明にかかる軒樋用ストッパーは上記のとおりであり、上片部と下片部との隙間は軒樋の底面板の挿入部とされ、下片部の裏面にはストッパー部が垂設されているため、軒樋の端部を集水器の軒樋差込口に挿入したとき、例え軒樋が収縮しても或いは風等による軒樋が振動しても、上記ストッパー部がしっかりと係止し、軒樋が集水器から脱落することを防ぐ。また、上記下片部には開口側から階段状に多段の段差が設けられているため、底面板の厚さが異なる複数の軒樋に対応して接着面を確保して嵌着することができる。
【００１０】
請求項２に記載の軒樋用ストッパーは上記のとおりであり、請求項１の軒樋用ストッパーの有する効果に加え、上記軒樋用ストッパーを２個連結して用いるとともに、その連結幅が伸縮自在とされているため、軒樋の底面板の幅に応じて、調整することができる。このとき、軒樋端部の底面板の略中央部は殆ど段差がなく、雨水の流れを阻止するものがないため、スムースに排水できるとともに、雨水の漏洩も防止することができる。
【００１１】
請求項３に記載の軒樋用ストッパーは上記のとおりであり、請求項１の軒樋用ストッパーの有する効果に加え、上記階段状の段差が３段とされているため、底面板の厚さが異なる３種類の軒樋に対応することができる。
【発明を実施するための最良の形態】
【００１２】
以下、本発明の実施形態について図面を参照して詳細に説明する。図１は本発明の第１実施形態にかかる軒樋用ストッパーＡを示す斜視図である。図１に示すように、上記軒樋用ストッパーＡは、上片部２と下片部１と両者を連結する結合片３とからなり、上記下片部１の開口側の裏面端部にはストッパー部４が垂設されている。図１に示されているように、上片部２と下片部１との隙間は軒樋底面板の挿入部とされ、下片部１は階段状に第１ステップ１１、第２ステップ１２、第３ステップ１３と段差が設けられている。例えば、第１ステップ１１と上片部２との隙間は大きいため、底面板の厚い軒樋を挿入するときに用いられ、第３ステップ１３と上片部２との隙間は小さいため、底面板の薄い軒樋を挿入するときに用いられる。また、第２ステップ１２と上片部２との間には、中程度の厚さの底面板を有する軒樋が挿入される。このように、上記軒樋用ストッパーＡを用いることにより、底面板の厚さに応じて３種類の軒樋に対応することができる。
【００１３】
図２は本発明の第２実施形態にかかる軒樋用ストッパーＢを示す斜視図である。図２に示すように本実施形態においては、第１実施形態にかかる軒樋用ストッパーを２個連結して用いる。すなわち、右側の軒樋用ストッパーの結合片３に内部が中空の連結部５１を延設するとともに、左側の軒樋用ストッパーにも同様に連結部５２を延設し、連結部５２を上記中空連結部５１の中空部に嵌挿して用いる。このようにすることにより、軒樋用ストッパーどうしの間隔はスライド自在に調整され、使用する軒樋の幅に応じて最適の間隔で２個の軒樋用ストッパーを連結し、軒樋用ストッパーＢとして用いることができる。
【００１４】
図３は、上記第２実施形態にかかる軒樋用ストッパーＢを軒樋８の端部に装着した状態を示す部分斜視図である。図３に示す実施形態においては、第３ステップ１３と上片部２との隙間に、予め接着剤が塗布された軒樋８の底面板８１が挿入され、固着される。このように、端部に軒樋用ストッパーＢを装着した軒樋８は、集水器の側壁に設けられた軒樋の差込口に挿入される。図４は、集水器９の側壁に設けられた軒樋差込口９１に図３に示す軒樋端部を挿入して接続した状態を示す部分縦断面図である。
【００１５】
図４に示されているように、軒樋８が冬季等において収縮した場合でも、下片部１の開口側の裏面端部に垂設されたストッパー部４が、集水器９の側壁部にしっかりと係合し、軒樋８が軒樋差込口９１から脱落することを防止する。また、図３に示されるように、軒樋端部の底面板８１の略中央部は殆ど段差がなく、雨水の流れを阻止するものがないため、スムースに排水することが可能となり、雨水の漏洩も防止することができる。
【図面の簡単な説明】
【００１６】
【図１】本発明の第１実施形態にかかる軒樋用ストッパーを示す斜視図である。
【図２】本発明の第２実施形態にかかる軒樋用ストッパーを示す斜視図である
【図３】上記第２実施形態にかかる軒樋用ストッパーを軒樋の端部に装着した状態を示す部分斜視図である。
【図４】図３に示す軒樋端部を集水器の側壁に設けられた軒樋差込口に挿入して接続した状態を示す部分縦断面図である。
【図５】公知の軒樋用ストッパーを軒樋の端部に装着した状態を示す部分斜視図である。
【図６】図５に示す軒樋端部を集水器の側壁に設けられた軒樋差込口に挿入して接続した状態を示す部分縦断面図である。
【符号の説明】
【００１７】
Ａ          第１実施形態にかかる軒樋用ストッパー
Ｂ          第２実施形態にかかる軒樋用ストッパー
Ｃ          公知の軒樋用ストッパー
１          下片部
１１        第１ステップ
１２        第２ステップ
１３        第３ステップ
２          上片部
３          結合片
４          ストッパー部
５１        中空連結部
５２        連結部
６１        公知技術における上片部
６２        公知技術における下片部
７          公知技術におけるストッパー部
８          軒樋
８１        底面板
９          集水器
９１        軒樋差込口
【図１】
2008025137.tif 000003
【図２】
2008025137.tif 000004
【図３】
2008025137.tif 000005
【図４】
2008025137.tif 000006
【図５】
2008025137.tif 000007
【図６】
2008025137.tif 000008